(57)【特許請求の範囲】
【請求項１】
ＶＩＤ(VLAN(Virtual Local Area Network) IDentifider)を含むレイヤ２フレームを複数のポート間で中継するスイッチ装置と、該スイッチの１つのポートに接続された管理中継点装置とを有するスイッチシステムにおけるトレース要求の中継方法であって、
前記管理中継点装置及び前記スイッチ装置は、２つの管理用ＶＩＤを予め記憶しており、
前記スイッチ装置が、受信したレイヤ２フレームについて、宛先アドレスがマルチキャストアドレスであり、且つ、ＶＩＤが第１の管理用ＶＩＤである場合、該レイヤ２フレームを、前記管理中継点装置が接続されたポートへ出力する第１のステップと、
前記管理中継点装置は、前記レイヤ２フレームがトレース要求である場合、前記ＶＩＤを第２の管理用ＶＩＤに切り替える第２のステップと、
前記管理中継点装置は、前記トレース要求を、前記スイッチ装置に接続されるポートへ出力する第３のステップと、
前記スイッチ装置が、前記トレース要求を、第２の管理用ＶＩＤが出力されるポートへ出力する第４のステップと
を有することを特徴とするトレース要求の中継方法。
【請求項２】
前記管理中継点装置が、前記トレース要求に対して、第１の管理用ＶＩＤを含むトレース応答を生成するステップと、
前記管理中継点装置が、前記トレース応答を、前記スイッチ装置に接続されるポートへ出力するステップと、
前記スイッチ装置が、前記トレース応答を、第１の管理用ＶＩＤが出力されるポートへ出力するステップと
を更に有することを特徴とする請求項１に記載のトレース要求の中継方法。
【請求項３】
前記トレース要求及び前記トレース応答は、運用保守管理フレームであるイーサネットＯＡＭ(Operation Administration and Maintenance)フレームであり、
前記トレース要求は、ＥＴＨ−ＬＴＭ(ETHernet Link Trace Message)であり、
前記トレース応答は、ＥＴＨ−ＬＴＲ(ETHernet Link Trace Reply)である
ことを特徴とする請求項２に記載のトレース要求の中継方法。
【請求項４】
第１のステップの前段で、
前記管理中継点装置が、第１の管理端点装置から、ＩＰネットワークを介して、第１の管理用ＶＩＤ及び第２の管理用ＶＩＤを受信するステップを更に有し、
第１の管理端点装置から送信された前記トレース要求が、前記スイッチシステムを経由する毎に前記トレース要求の前記管理用ＶＩＤを切り替えながら、第２の管理端点装置に到達するように、第１の管理用ＶＩＤ及び第２の管理用ＶＩＤは決定されている
ことを特徴とする請求項１から３のいずれか１項に記載のトレース要求の中継方法。
【請求項５】
ＶＩＤを含むレイヤ２フレームを複数のポート間で中継するスイッチ装置の１つのポートに接続された管理中継点装置であって、
２つの管理用ＶＩＤを予め記憶する管理用ＶＩＤテーブルと、
前記スイッチ装置から、宛先アドレスがマルチキャストアドレスであり、且つ、ＶＩＤが第１の管理用ＶＩＤであるレイヤ２フレームを受信するトレース要求入力手段と、
前記レイヤ２フレームがトレース要求である場合、前記ＶＩＤを第２の管理用ＶＩＤに切り替えるＶＩＤ切替手段と、
前記トレース要求を、前記スイッチ装置に接続されるポートへ出力するトレース要求出力手段と
を有することを特徴とする管理中継点装置。
【請求項６】
前記トレース要求に対して、第１の管理用ＶＩＤを含むトレース応答を生成するトレース応答生成手段と、
前記トレース応答を、前記スイッチ装置に接続されるポートへ出力するトレース応答出力手段と
を更に有することを特徴とする請求項５に記載の管理中継点装置。
【請求項７】
前記トレース要求及び前記トレース応答は、運用保守管理フレームであるイーサネットＯＡＭ(Operation Administration and Maintenance)フレームであり、
前記トレース要求は、ＥＴＨ−ＬＴＭ(ETHernet Link Trace Message)であり、
前記トレース応答は、ＥＴＨ−ＬＴＲ(ETHernet Link Trace Reply)である
ことを特徴とする請求項６に記載の管理中継点装置。
【請求項８】
管理端点装置から、ＩＰネットワークを介して、第１の管理用ＶＩＤ及び第２の管理用ＶＩＤを受信する管理用ＶＩＤ受信手段を更に有することを特徴とする請求項５から７のいずれか１項に記載の管理中継点装置。
【請求項９】
ＶＩＤを含むレイヤ２フレームを複数のポート間で中継するスイッチ装置の１つのポートに接続された端末に搭載されたコンピュータを機能させる管理中継点用プログラムであって、
２つの管理用ＶＩＤを予め記憶する管理用ＶＩＤテーブルと、
前記スイッチ装置から、宛先アドレスがマルチキャストアドレスであり、且つ、ＶＩＤが第１の管理用ＶＩＤであるレイヤ２フレームを受信するトレース要求入力手段と、
前記レイヤ２フレームがトレース要求である場合、前記ＶＩＤを第２の管理用ＶＩＤに切り替えるＶＩＤ切替手段と、
前記トレース要求を、前記スイッチ装置に接続されるポートへ出力するトレース要求出力手段と
してコンピュータを機能させることを特徴とする管理中継点用プログラム。
【発明の詳細な説明】
【技術分野】
【０００１】
本発明は、運用保守管理用のトレース要求を中継する方法、管理中継点装置及びプログラムに関する。
【背景技術】
【０００２】
現在のところ、ＬＡＮ(Local Area Network)用のレイヤ２ネットワークとして、イーサネット（登録商標）技術が普及している。これに対し、近年、アクセスネットワークの高速化技術として、ＦＴＴＨ(Fiber To The Home)が用いられてきている。このＦＴＴＨ技術や他の高速アクセスライン技術によって、アクセスネットワークの通信速度が増大するに伴って、コアネットワークやメトロネットワークも含めた通信ネットワークの大容量化が必要となっている。また、ネットワーク全体の通信速度の向上と共に、レイヤ２フレームのスイッチ装置のスイッチング処理容量の増大や、スイッチ装置間の通信速度の増大も必要となっている。
【０００３】
ＬＡＮ内のネットワーク接続技術として開発されたイーサネット技術は、現在はサービス事業者と加入者間の接続用途や、サービス事業者が構築するメトロエリアネットワーク内での使用が普及し始めている。このように広域にイーサネットを展開すると、サービス事業者は、加入者に対して常に安定したサービスを提供するために、ＬＡＮではあまり問題にならなかった、運用・保守・管理（ＯＡＭ：Operation Administration and Maintenance）を考慮する必要がある。現在はレイヤ３技術を用いて広域に展開したイーサネットネットワークのＯＡＭを実施していたが、より詳細なＯＡＭを実施するためにはレイヤ２でのＯＡＭ技術が望ましい。そのため、現在、ＩＴＵ−Ｔ Ｙ．１７３１ではイーサネットネットワーク内でのＯＡＭ手法が規定され、又ＩＥＥＥ８０２．１ａｇやＩＥＥＥ８０２．１Ｑａｗによって、イーサネットＯＡＭフレームや手法の規定が進んでいる（例えば非特許文献１参照）。特に、ＩＴＵ−Ｔ Ｙ．１７３１は、イーサネット網にＳＯＮＥＴ(Synchronous Optical NETwork)とほぼ同等の運用保守管理機能を実現する規格である。イーサネットＯＡＭフレームは、到達性管理(CFM: Connectivity Fault Management) や、エラー通知、リンク（回線）パフォーマンスモニタ等の機能やその情報を伝達する機能を有する。
【０００４】
図１は、従来技術におけるトレース要求の中継を表す説明図である。
【０００５】
図１によれば、管理端点装置（ＭＥＰ：Maintenance group End Point）２と管理端点装置２との間に、管理中継点装置(ＭＩＰ：Maintenance group Intermediate Point)１を介して接続されたネットワークが表されている。これによって、２つの管理端点装置の間の接続線路に対する運用・保守・管理を実現する。
【０００６】
図１のトレース(Traceroute)機能によれば、管理端点装置２は、対象となるネットワークへ、即ち隣接するスイッチ装置１へ、トレース要求を送信する。トレース要求は、例えば、運用保守管理フレームであるイーサネットＯＡＭフレームにおけるＥＴＨ−ＬＴＭ(ETHernet Link Trace Message)である。ＥＴＨ−ＬＴＭの宛先ＭＡＣ(Media Access Control)アドレスには、マルチキャストアドレス（unknown）が設定され、そのＴＴＬには最大値（例えば６４）が設定される。
【０００７】
ＥＴＨ−ＬＴＭを受信したスイッチ装置１は、ＥＴＨ−ＬＴＭの送信元ＭＡＣアドレスを宛先ＭＡＣアドレスとするトレース応答を生成する。トレース応答は、例えば、運用保守管理フレームであるイーサネットＯＡＭフレームにおけるＥＴＨ−ＬＴＲ(ETHernet Link Trace Reply)である。スイッチ装置は、そのＥＴＨ−ＬＴＲを、ＥＴＨ−ＬＴＭを受信したポートへ返信する。これにより、ＥＴＨ−ＬＴＭを送信した管理端点装置２へ、ＥＴＨ−ＬＴＲが返信される。
【０００８】
また、スイッチ装置１は、受信したレイヤ２フレームのＴＴＬを１減分して、宛先アドレスをマルチキャストアドレス（unknown）とするＥＴＨ−ＬＴＭを、他のポートから更に転送処理する。これは、ＴＴＬが０になるまで繰り返される。ＥＴＨ−ＬＴＭは、ネットワーク内に転送処理された、そのＥＴＨ−ＬＴＭを受信したスイッチ装置は、管理端点装置２へ、ＥＴＨ−ＬＴＲを返信する。これにより、管理端点装置２は、ネットワーク内の全てのスイッチ装置から、ＥＴＨ−ＬＴＲを受信することができる。
【０００９】
スイッチ装置１は、複数のポート１１と、ＭＡＣ／ＶＬＡＮスイッチ部１２とを有する。ＭＡＣ／ＶＬＡＮスイッチ部１２は、ポート毎に、ＭＡＣアドレス及びＶＩＤ(VLAN(Virtual Local Area Network) IDentifider)を対応付けたテーブルを有する。スイッチ装置１は、このテーブルを参照して、受信したレイヤ２フレームを、送信先となる適切な１つ以上のポートへ出力する。
【００１０】
また、イーサネットＯＡＭ準拠のスイッチ装置１は、更に、装置ＯＡＭ部１３を備える。装置ＯＡＭ部１３は、管理中継点のスイッチ装置では管理中継点ＯＡＭとして機能し、管理端点のスイッチ装置では管理端点ＯＡＭとして機能する。具体的には、ＥＴＨ−ＬＴＭを常にモニタしており、ＥＴＨ−ＬＴＭを受信したポートへ、ＥＴＨ−ＬＴＲを出力すると共に、ＥＴＨ−ＬＴＭを適切なポートから出力する。
【００１１】
図２は、イーサネットＯＡＭフレームにおけるトレース要求のフレーム構成図である。
【００１２】
図２のイーサネットＯＡＭフレームによれば、宛先ＭＡＣ(Media Access Control)アドレスと、送信元ＭＡＣアドレスと、ＶＩＤ(VLAN IDentifier)と、ＴＬＶ(Type, Length, and Value)と、ＦＣＳ(Frame Check Sequence)とを含む。ＭＡＣアドレスは、運用保守管理対象となるスイッチ装置固有の、又はネットワークインターフェイスカードに固有の、４８ビットの識別番号である。通常、スイッチ装置は、ネットワークインターフェイスカードが持つ固有の識別子は用いられず、その装置自体を特定する１つの装置ＭＡＣアドレス（ＣＰＵ−ＭＡＣアドレス）を用いて、フレーム転送時などは装置を認識する。Ethernet OAM TLVは、例えば、制御情報（要求／応答）、ステータス（電源状態、受信光状態、リンク断、故障等）、ベンダコード、モデルコード等を含む。トレース要求の場合、Ethernet OAM TLVに、ターゲットの管理端点装置のターゲットＭＡＣアドレスが含まれる。
【００１３】
ＥＴＨ−ＬＴＭの場合、宛先ＭＡＣアドレスにはマルチキャストアドレスが含まれ、ＶＩＤには、管理用ＶＩＤが含まれる。そして、ターゲットＭＡＣアドレスは、ＴＬＶに含まれている。イーサネットＯＡＭ準拠のスイッチ装置について、その装置ＯＡＭ部は、宛先ＭＡＣアドレスがマルチキャストアドレスであっても、ＴＬＶの中のターゲットＭＡＣアドレスを見ることによって、中継制御を実現している。
【００１４】
【非特許文献１】瀬戸 康一郎、「８０２．１／８０２．３の標準化動向（３）」、 [online]、２００６年９月２５日、ＷＢＢフォーラム、[平成２０年３月２８日検索]、インターネット＜URL:http://wbb.forum.impressrd.jp/report/20060922/280?page=0%2C0＞
【００１５】
【特許文献１】特開２００４−２３１１４号公報
【特許文献２】特開２００６−４８２７６号公報
【特許文献３】特開平１０−３１４５９２号公報
【発明の開示】
【発明が解決しようとする課題】
【００１６】
ネットワークに、イーサネットＯＡＭ準拠のスイッチ装置を全て配置したならば、イーサネットＯＡＭを十分に機能させることができる。しかしながら、コストの面から、イーサネットＯＡＭ準拠のスイッチ装置と、イーサネットＯＡＭ非準拠のスイッチ装置とを混在させる場合も多い。このとき、イーサネットＯＡＭのトレース要求が、機能しないという問題を生じる。
【００１７】
図３は、イーサネットＯＡＭ非準拠のスイッチ装置が、イーサネットＯＡＭのトレース要求の中継を表す説明図である。
【００１８】
規格上、宛先ＭＡＣアドレスに「マルチキャストアドレス」を含んだレイヤ２フレームがマルチキャスト転送処理されないということに問題がある。イーサネットＯＡＭ非準拠のスイッチ装置は、装置ＯＡＭ部を備えていない。従って、宛先ＭＡＣアドレスに「マルチキャストアドレス」が含まれるレイヤ２フレームは、全ポートから送信することとなる。
【００１９】
このような問題は、全てのポートのＶＩＤが同一である場合に限られるが、例えば管理用ＶＩＤがネットワーク全体で１つの場合は、結局、トレース要求は、全ポートから出力されることとなる。
【００２０】
そこで、本発明は、ネットワークにイーサネットＯＡＭ非準拠のスイッチ装置が配置された場合であっても、運用保守管理用のトレース要求が機能するように中継する方法、管理中継点装置及びプログラムを提供することを目的とする。
【課題を解決するための手段】
【００２１】
本発明によれば、ＶＩＤを含むレイヤ２フレームを複数のポート間で中継するスイッチ装置と、該スイッチの１つのポートに接続された管理中継点装置とを有するスイッチシステムにおけるトレース要求の中継方法であって、
管理中継点装置及びスイッチ装置は、２つの管理用ＶＩＤを予め記憶しており、
スイッチ装置が、受信したレイヤ２フレームについて、宛先アドレスがマルチキャストアドレスであり、且つ、ＶＩＤが第１の管理用ＶＩＤである場合、該レイヤ２フレームを、管理中継点装置が接続されたポートへ出力する第１のステップと、
管理中継点装置は、レイヤ２フレームがトレース要求である場合、ＶＩＤを第２の管理用ＶＩＤに切り替える第２のステップと、
管理中継点装置は、トレース要求を、スイッチ装置に接続されるポートへ出力する第３のステップと、
スイッチ装置が、トレース要求を、第２の管理用ＶＩＤが出力されるポートへ出力する第４のステップと
を有することを特徴とする。
【００２２】
本発明のトレース要求の中継方法における他の実施形態によれば、
管理中継点装置が、トレース要求に対して、第１の管理用ＶＩＤを含むトレース応答を生成するステップと、
管理中継点装置が、トレース応答を、スイッチ装置に接続されるポートへ出力するステップと、
スイッチ装置が、トレース応答を、第１の管理用ＶＩＤが出力されるポートへ出力するステップと
を更に有することも好ましい。
【００２３】
本発明のトレース要求の中継方法における他の実施形態によれば、トレース要求及びトレース応答は、運用保守管理フレームであるイーサネットＯＡＭフレームであり、トレース要求は、ＥＴＨ−ＬＴＭであり、トレース応答は、ＥＴＨ−ＬＴＲであることも好ましい。
【００２４】
本発明のトレース要求の中継方法における他の実施形態によれば、
第１のステップの前段で、
管理中継点装置が、第１の管理端点装置から、ＩＰネットワークを介して、第１の管理用ＶＩＤ及び第２の管理用ＶＩＤを受信するステップを更に有し、
第１の管理端点装置から送信されたトレース要求が、スイッチシステムを経由する毎にトレース要求の管理用ＶＩＤを切り替えながら、第２の管理端点装置に到達するように、第１の管理用ＶＩＤ及び第２の管理用ＶＩＤは決定されている
ことも好ましい。
【００２５】
本発明によれば、ＶＩＤを含むレイヤ２フレームを複数のポート間で中継するスイッチ装置の１つのポートに接続された管理中継点装置であって、
２つの管理用ＶＩＤを予め記憶する管理用ＶＩＤテーブルと、
スイッチ装置から、宛先アドレスがマルチキャストアドレスであり、且つ、ＶＩＤが第１の管理用ＶＩＤであるレイヤ２フレームを受信するトレース要求入力手段と、
レイヤ２フレームがトレース要求である場合、ＶＩＤを第２の管理用ＶＩＤに切り替えるＶＩＤ切替手段と、
トレース要求を、スイッチ装置に接続されるポートへ出力するトレース要求出力手段と
を有することを特徴とする。
【００２６】
本発明の管理中継点装置における他の実施形態によれば、
トレース要求に対して、第１の管理用ＶＩＤを含むトレース応答を生成するトレース応答生成手段と、
トレース応答を、スイッチ装置に接続されるポートへ出力するトレース応答出力手段と
を更に有することも好ましい。
【００２７】
本発明の管理中継点装置における他の実施形態によれば、トレース要求及びトレース応答は、運用保守管理フレームであるイーサネットＯＡＭフレームであり、トレース要求は、ＥＴＨ−ＬＴＭであり、トレース応答は、ＥＴＨ−ＬＴＲであることも好ましい。
【００２８】
本発明の管理中継点装置における他の実施形態によれば、管理端点装置から、ＩＰネットワークを介して、第１の管理用ＶＩＤ及び第２の管理用ＶＩＤを受信する管理用ＶＩＤ受信手段を更に有することも好ましい。
【００３０】
本発明によれば、ＶＩＤを含むレイヤ２フレームを複数のポート間で中継するスイッチ装置の１つのポートに接続された端末に搭載されたコンピュータを機能させる管理中継点用プログラムであって、
２つの管理用ＶＩＤを予め記憶する管理用ＶＩＤテーブルと、
スイッチ装置から、宛先アドレスがマルチキャストアドレスであり、且つ、ＶＩＤが第１の管理用ＶＩＤであるレイヤ２フレームを受信するトレース要求入力手段と、
レイヤ２フレームがトレース要求である場合、ＶＩＤを第２の管理用ＶＩＤに切り替えるＶＩＤ切替手段と、
トレース要求を、スイッチ装置に接続されるポートへ出力するトレース要求出力手段と
してコンピュータを機能させることを特徴とする。
【発明の効果】
【００３１】
本発明の中継方法、管理中継点装置及びプログラムによれば、ネットワークにイーサネットＯＡＭ非準拠のスイッチ装置が配置された場合であっても、運用保守管理用のトレース要求が機能するように中継することができる。
【発明を実施するための最良の形態】
【００３２】
以下では、図面を用いて、本発明を実施するための最良の形態について詳細に説明する。
【００３３】
図４は、本発明における第１のシステム構成図である。
【００３４】
図４によれば、レイヤ２フレームを複数のポート間で中継するスイッチ装置は、図１と同様のネットワークに構成されている。図４は、図１と比較して、イーサネットＯＡＭ準拠のスイッチ装置と、イーサネットＯＡＭ非準拠のスイッチ装置とが混在して配置されている点が相違する。
【００３５】
本発明によれば、イーサネットＯＡＭ非準拠のスイッチ装置には、そのいずれか１つのポートに、イーサネットＯＡＭ機能ブロックとしての管理中継点装置３が接続される。管理中継点装置３は、ＳＮＭＰ(Simple Network Management Protocol)ネットワークに接続される。このように、管理中継点装置３を外付けにすることによって、スイッチ装置は、既存のイーサネットＯＡＭ非準拠のものを用いることができる。
【００３６】
本発明における管理中継点装置３は、管理用ＶＩＤテーブル３１と、トレース要求入力部３２と、ＶＩＤ切替部３３と、トレース要求出力部３４と、トレース応答生成部３５と、トレース応答出力部３６とを有する。これら機能構成部は、端末に搭載されたコンピュータを機能させるプログラムを実行することによっても実現できる。
【００３７】
管理用ＶＩＤテーブル３１は、２つの管理用ＶＩＤを予め記憶する。第１の管理用ＶＩＤを含むトレース要求は、第２の管理用ＶＩＤに切り替えられる。
【００３８】
トレース要求入力部３２は、スイッチ装置１から、宛先アドレスがマルチキャストアドレスであり、且つ、ＶＩＤが第１の管理用ＶＩＤであるレイヤ２フレームを受信する。トレース要求としてのそのレイヤ２フレームは、ＶＩＤ切替部３３及びトレース応答生成部３５へ出力される。
【００３９】
ＶＩＤ切替部３３は、レイヤ２フレームがトレース要求である場合、管理用ＶＩＤテーブル３１を参照して、ＶＩＤを第２の管理用ＶＩＤに切り替える。そのトレース要求は、トレース要求出力部３４へ通知される。トレース要求は、ＥＴＨ−ＬＴＭ(ETHernet Link Trace Message)である。
【００４０】
トレース要求出力部３４は、トレース要求を、スイッチ装置に接続されるポートへ出力する。
【００４１】
トレース応答生成部３５は、トレース要求に対して、第１の管理用ＶＩＤを含むトレース応答を生成する。トレース応答は、ＥＴＨ−ＬＴＲ(ETHernet Link Trace Reply)である。
【００４２】
トレース応答出力部３６は、トレース応答を、スイッチ装置に接続されるポートへ出力する。
【００４３】
管理用ＶＩＤ受信部３７は、管理端点装置２から、ＳＮＭＰネットワークを介して、管理用ＶＩＤ情報（第１の管理用ＶＩＤ及び第２の管理用ＶＩＤ）を受信する。受信された管理用ＶＩＤ情報は、管理用ＶＩＤテーブル３１に記録される。
【００４４】
管理端点装置２は、管理中継点装置３へ、ＳＮＭＰネットワークを介して、管理用ＶＩＤ情報を送信する。ここで、管理用ＶＩＤ情報は、第１の管理端点装置から送信されたトレース要求が、スイッチシステムを経由する毎にトレース要求の管理用ＶＩＤを切り替えながら、第２の管理端点装置に到達するように決定される。このとき、第１の管理端点装置から送信されたトレース要求に含まれるＶＩＤが、第２の管理端点装置に到達する際のトレース要求に含まれているようにする。
【００４５】
図４によれば、管理端点装置２から、「マルチキャストアドレス」「ＶＩＤ１」を含むトレース要求が送信されたとする。このトレース要求を受信したスイッチ装置ＳＷ１は、「ＶＩＤ１」を「ＶＩＤ２」に切り替えて、「マルチキャストアドレス」「ＶＩＤ２」を含むトレース要求を、スイッチ装置ＳＷ２へ送信する。このトレース要求を受信したスイッチ装置ＳＷ２は、「ＶＩＤ２」を「ＶＩＤ１」に切り替えて、「マルチキャストアドレス」「ＶＩＤ１」を含むトレース要求を、管理端点装置として機能するスイッチ装置ＳＷ３へ送信する。
【００４６】
このように、イーサネットＯＡＭ非準拠のスイッチ装置を中継する毎に、ＶＩＤを切り替える。これによって、宛先ＭＡＣアドレスが「マルチキャストアドレス」であっても、ターゲットとなる管理端点装置まで、トレース要求を中継することができる。勿論、イーサネットＯＡＭ準拠のスイッチ装置を中継する場合には、ＶＩＤを切り替える必要もない。あくまで、管理端点装置から送信されたトレース要求に含まれるＶＩＤが、最終の管理端点装置に到達する際のトレース要求に含まれているようにすればよい。
【００４７】
図５は、本発明のスイッチシステムにおけるトレース要求のシーケンス図である。
【００４８】
（Ｓ５０１）スイッチ装置１が、ポート（例えばポート１）からレイヤ２フレームを受信したとする。
（Ｓ５０２）ＭＡＣ／ＶＬＡＮスイッチ部１２は、受信したレイヤ２フレームについて、宛先アドレスが「マルチキャストアドレス」であり、且つ、ＶＩＤが「第１の管理用ＶＩＤ」であるか否かを判定する。この判定が真となる場合、そのレイヤ２フレームは、管理中継点装置３が接続されたポート（例えばポート４）へ出力される。
（Ｓ５０３）管理中継点装置３は、入力されたレイヤ２フレームがトレース要求であることを確認する。トレース要求の場合、管理中継点装置３は、ＶＩＤを「第２の管理用ＶＩＤ」に切り替えて、そのトレース要求を、スイッチ装置１に接続されるポート（例えばポート４）へ出力する。
（Ｓ５０４）スイッチ装置１は、管理中継点装置３から受信したトレース要求を、第２の管理用ＶＩＤが出力されるポート（例えばポート５）へ出力する。
【００４９】
図６は、本発明における第２のシステム構成図である。
【００５０】
図６によれば、図４と比較して、スイッチ装置ＳＷ２とＳＷ３との間に、更に、イーサネットＯＡＭ非準拠のスイッチ装置ＳＷ６が挿入された場合である。この場合、単に「第１の管理用ＶＩＤ」と「第２の管理用ＶＩＤ」との切り替えを継続しても、管理端点装置を有するスイッチＳＷ３に到達した際には、「第２の管理用ＶＩＤ」となってしまう。即ち、管理端点装置から送信されたトレース要求に含まれるＶＩＤが、最終の管理端点装置に到達する際のトレース要求に含まれているようにならない。
【００５１】
このような場合、トレース要求を受信したスイッチ装置ＳＷ２は、「ＶＩＤ２」を「ＶＩＤ３」に切り替えて、「マルチキャストアドレス」「ＶＩＤ３」を含むトレース要求を、スイッチ装置ＳＷ６へ送信する。このトレース要求を受信したスイッチ装置ＳＷ６は、「ＶＩＤ３」を「ＶＩＤ１」に切り替えて、「マルチキャストアドレス」「ＶＩＤ１」を含むトレース要求を、管理端点装置として機能するスイッチ装置ＳＷ３へ送信する。このように、全てパターンに対応するためには、本発明によれば、少なくとも３つの管理用ＶＩＤを必要とする。
【００５２】
以上、詳細に説明したように、本発明の中継方法、管理中継点装置及びプログラムは、ネットワークにイーサネットＯＡＭ非準拠のスイッチ装置が配置された場合であっても、運用保守管理用のトレース要求が機能するように中継することができる。
【００５３】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００５４】
【図１】従来技術におけるトレース要求のシーケンス図である。
【図２】イーサネットＯＡＭフレームにおけるトレース要求のフレーム構成図である。
【図３】イーサネットＯＡＭ非準拠のスイッチ装置が、イーサネットＯＡＭのトレース要求の中継を表す説明図である。
【図４】本発明における第１のシステム構成図である。
【図５】本発明のスイッチシステムにおけるトレース要求のシーケンス図である。
【図６】本発明における第２のシステム構成図である。
【符号の説明】
【００５５】
１  スイッチ装置
１１  ポート
１２  ＭＡＣ／ＶＬＡＮスイッチ部
１３  装置ＯＡＭ部
２  管理端点装置
３  管理中継点装置
３１  管理用ＶＩＤテーブル
３２  トレース要求入力部
３３  ＶＩＤ切替部
３４  トレース要求出力部
３５  トレース応答生成部
３６  トレース応答出力部
３７  管理用ＶＩＤ受信部
【図１】
0005071982.tif 000002
【図２】
0005071982.tif 000003
【図３】
0005071982.tif 000004
【図４】
0005071982.tif 000005
【図５】
0005071982.tif 000006
【図６】
0005071982.tif 000007